(57)【要約】【課題】フィルタで分離された潤滑油の油還流路の開閉を適正且つ容易に行えるようにする。【解決手段】ブローバイガスフィルタ２４より下流の流路２３２には油還流パイプ２６Ａが接続されており、油還流パイプ２６Ａには開閉弁２７が接続されており、開閉弁２７には油還流パイプ２６Ｂが接続されている。オイルポンプ１８とオイルフィルタ２１との間の油路２０内の油圧は、油圧パイプ３４を介して開閉弁２７の弁体２９に作用する。油圧路３３内の油圧は、弁体２９を閉位置から開位置に向けて付勢する。閉状態にある開閉弁２７は、油圧の増大に対して弁開度を小さくしてゆき、油圧が予め設定された基準圧力以上になると、開状態へ移行する。【選択図】図１
2007285261.tif 000002
【特許請求の範囲】
【請求項１】
内燃機関で発生するブローバイガスを吸気系に流すためのブローバイガス流路と、前記ブローバイガス流路の途中に介在されたブローバイガスフィルタと、前記ブローバイガスフィルタよりも下流の前記ブローバイガス流路に通じる油還流路と、前記油還流路の出口が内部に開口する油溜まり容器と、を備えた内燃機関におけるブローバイガス処理装置において、
オイルポンプと、
前記油還流路を開閉し、前記オイルポンプによって送り出される油の油圧によって制御される開閉弁とを備え、
前記開閉弁が開状態から閉状態へ移行するのは、前記油圧の増大によって行われる内燃機関におけるブローバイガス処理装置。
【請求項２】
前記開閉弁は、低温始動時のオイルの高粘度化に伴う油圧の増大により、開状態から閉状態へ移行する請求項１に記載の内燃機関におけるブローバイガス処理装置。
【請求項３】
前記オイルポンプによって送り出される油の油路の途中にオイルフィルタが設けられており、前記開閉弁は、前記オイルポンプと前記オイルフィルタとの間の前記油路における油圧によって制御される請求項１及び請求項２のいずれか１項に記載の内燃機関におけるブローバイガス処理装置。
【発明の詳細な説明】
【技術分野】
【０００１】
本発明は、内燃機関で発生するブローバイガスを吸気系に流して処理するブローバイガス処理装置に関するものである。
【背景技術】
【０００２】
内燃機関では、燃焼中に、燃焼室内のガスの一部がピストンとシリンダ壁との間からブローバイガスとしてクランクケース側に漏れ出る。ブローバイガス中には、未燃状態の燃料成分等が混入しており、外部に排出することは好ましくないため、吸気系に還流し、再度燃焼室内にて燃焼させることで処理している。ところで、クランクケース内には潤滑油がミスト状になって飛散している。そのため、クランクケース内から吸気系へ流されるブローバイガス中にはミスト状の潤滑油が含まれている。ブローバイガス中に含まれる潤滑油が吸気系へ送られてしまうと、この潤滑油の成分が吸気バルブや吸気ポートの壁面に付着してデポジットとして堆積し、吸気バルブの作動や密閉性が悪影響を受ける。あるいは燃料に加え潤滑油が燃焼されるために、所望の出力以上の出力が発生する、又は、潤滑油の消費が早い、という不具合が生じる。
【０００３】
そこで、ブロ−バイガス中に含まれる潤滑油を吸気系へ送る前に分離し、潤滑系に戻すようにしたブローバイガス処理装置が例えば特許文献１，２，３に開示されている。
特許文献１に開示の装置では、シリンダケース内からシリンダヘッド内へ送られたブローバイガスを吸気通路へ流すガス還流管路上にフィルタが介在されている。ブローバイガス中の潤滑油は、フィルタで分離され、分離された潤滑油は、ドレン管路を経由してオイルパンへ戻される。ドレン管路上には逆止弁が介在されている。逆止弁は、前後のドレン管路の差圧により作動し、ドレン管路を経由したオイルパン側からの逆流を防止する。
【０００４】
特許文献２に開示の装置では、ブローバイガスを吸気通路へ流す還流通路上にオイルセパレータが介在されている。ブローバイガス中の潤滑油は、オイルセパレータで分離され、分離された潤滑油は、リターンパイプを経由してオイルパンへ戻される。リターンパイプ上には電磁開閉弁が介在されている。電磁開閉弁は、エンジン作動中は閉じ、逆流を防止する。エンジン停止中は吸気系が大気圧に戻っているので、電磁開閉弁を連通し、潤滑油をオイルパンに戻す。
【０００５】
特許文献３に開示の装置では、シリンダヘッドカバーに、オイル分離フィルタを収容したブリーザ室が内設されている。クランクケースよりシリンダヘッドに流入したブローバイガスは、ブリーザ室内にてオイルを分離された後、吸気管等に放出される。ブリーザ室にて分離されたオイルは、下端口が油溜まり容器内に開口するオイル回収管を介し、シリンダヘッド内に戻される。また、オイル回収管と油溜まり容器に溜まったオイルの作用により、オイル回収管からのオイル及びブローバイガスの逆流は防止される。
【０００６】
以上の如く、ブローバイガスより分離した潤滑油をエンジン内潤滑系に戻す場合に、吸気系の負圧の作用による逆流が生じないように配慮した構造が、従来より提案されていた。
【特許文献１】特開２００１−１８２５２０号公報
【特許文献２】特開２００３−２７８５２２号公報
【特許文献３】特開平０８−２６０９３６
【発明の開示】
【発明が解決しようとする課題】
【０００７】
特許文献１に開示のように、ブローバイガスから潤滑油を分離するためにフィルタを用いる場合、フィルタに付着したオイルの大半は、重力の作用にて下方に移動後フィルタより分離し、ドレン管路に流れ込むが、一部のオイルはフィルタ中に残る。そして、オイルの粘度は温度の影響を受けるため、エンジンの低温始動時では、オイルの高粘度化により、フィルタの圧損が増加する。
【０００８】
ドレン管路上に介在された逆止弁は、フィルタの圧損が増加し、ドレン管路に作用する負圧が増加した場合にも、正常に作動すればドレン管路内の逆流を防止することができる。しかし、この様に、差圧により受動的に開閉する逆止弁では、小さな力で弁が開閉される必要があるため、例えばオイルの汚れに起因し、固着を生じやすいという問題がある。
【０００９】
逆止弁の代わりに、特許文献２に開示のように電磁開閉弁を用いることで、固着の問題を回避することはできる。しかし、特許文献２に開示された、エンジンの作動中と停止中にて閉弁と開弁を切替える制御は、全ての使用形態のエンジンにて好ましいものではない。例えば、空調目的のガスヒートポンプに使用されるエンジン等、長時間連続運転されるエンジンでは、電磁開閉弁の閉弁により、オイルセパレータよりリターンパイプに滞留するオイルが相対的に多量となり、一度分離したオイルが、再度ブローバイガスに混入しやすくなる。例えば、エンジンの運転状態等を検出し、エンジン運転中においても逆流が生じない条件下で、開弁制御を追加することが考えられるが、センサー及び専用の制御プログラム等の追加を必要とし、更に、オイルの粘度を的確に検出し電磁開閉弁の制御に反映させることが難しい、という問題がある。
【００１０】
特許文献３のように、油溜まり容器を用いる構造では、圧損の増大に対し、オイルリターンパイプの長さ、言い換えると、オイルリターンパイプの上端から油溜まり容器内の油面までの距離を長く取ることでオイルの吸い上げを防止できる。しかし、オイルリターンパイプの長さは、エンジンの大きさなどによって制約される。オイルリターンパイプが短く制限されるものでは、低温始動時などの高圧損時には油溜まり容器内のオイルを吸い上げ、吸気系にオイルが混入することになる。
【００１１】
本発明は、フィルタで分離された潤滑油の油還流路の開閉を適正且つ容易に行えるようにすることを目的とする。
【課題を解決するための手段】
【００１２】
本発明は、内燃機関で発生するブローバイガスを吸気系に流すためのブローバイガス流路と、前記ブローバイガス流路の途中に介在されたブローバイガスフィルタと、前記ブローバイガスフィルタよりも下流の前記ブローバイガス流路に通じる油還流路と、前記油還流路の出口が内部に開口する油溜まり容器と、を備えた内燃機関におけるブローバイガス処理装置を対象とし、請求項１の発明は、オイルポンプと、前記油還流路を開閉し、前記オイルポンプによって送り出される油の油圧によって制御される開閉弁とを備え、前記開閉弁が開状態から閉状態へ移行するのは、前記油圧の増大によって行われることを特徴とする。
【００１３】
ブローバイガスフィルタに捕捉されている油の粘度が高い場合には、オイルポンプから送り出される油の圧力（油圧）が通常の運転状態よりも高くなるため、開閉弁が閉状態となる。内燃機関の温度が低いときには油の粘度が高い（つまり、オイルポンプ１８から送り出される潤滑油の油圧が高い）ことを利用して開閉弁の開閉制御を行なう構成は、油還流路の適正な開閉の容易化に寄与する。
【００１４】
好適な例では、前記開閉弁は、低温始動時のオイルの高粘度化に伴う油圧の増大により、開状態から閉状態へ移行する。
低温始動時のオイルの高粘度化に伴って油圧が通常の運転状態よりも高くなり、開閉弁が閉状態となる。
【００１５】
好適な例では、前記オイルポンプによって送り出される油の油路の途中にオイルフィルタが設けられており、前記開閉弁は、前記オイルポンプと前記オイルフィルタとの間の前記油路における油圧によって制御される。
【００１６】
オイルポンプと圧損の大きいオイルフィルタとの間の油路における油圧は、開閉弁を制御するための油圧として最適である。
【発明の効果】
【００１７】
本発明は、フィルタで分離された潤滑油の油還流路の開閉を適正且つ容易に行えるという優れた効果を奏する。
【発明を実施するための最良の形態】
【００１８】
以下、本発明を具体化した一実施形態を図１〜図３に基づいて説明する。
図１（ａ）は、図示しない空気調整装置（ガスヒートポンプ）の駆動源である内燃機関１０を示す。図示しない複数のピストンを内蔵するシリンダブロック１１に連結されたシリンダヘッド１２にはヘッドカバー１３が装着されている。シリンダヘッド１２には吸気系としての吸気管に連なるインテークマニホールド１５、排気系としてエキゾーストマニホールド１６が接続されている。
【００１９】
シリンダブロック１１の下部にはオイルパン１４が装着されている。オイルパン１４内の潤滑油は、オイルポンプ１８の作動によってオイルストレーナ１９を介して吸い上げられ、吸い上げられた潤滑油は、オイルポンプ１８から油路２０を介してオイルフィルタ２１へ圧送される。オイルフィルタ２１を通過した潤滑油は、図示しない油路を介して潤滑必要な箇所へ送られる。潤滑必要な箇所へ送られた潤滑油は、図示しない油路を経由してオイルパン１４へ還流される。シリンダブロック１１内の燃焼室に通じる吸気ポートを開閉する吸気弁を駆動する吸気カム機構、燃焼室に通じる排気ポートを開閉する排気弁を駆動する排気カム機構等は、潤滑必要な箇所である。オイルポンプ１８は、図示しないクランクシャフトまたはクランクシャフトによって駆動されるカムシャフトなどに連結されることで駆動される。
【００２０】
シリンダブロック１１にはチェーンケース２２が取り付けられている。チェーンケース２２内には図示しないスプロケット及びスプロケットに巻き掛けられたチェーンが収容されている。チェーンケース２２内のスプロケット及びチェーンは、内燃機関１０のクランク軸（図示略）の回転駆動力を前記した吸気カム機構、排気カム機構、オイルポンプ１８等へ伝達するものである。チェーンケース２２内部も、潤滑必要な箇所として潤滑油が供給されており、スプロケット、チェーン等潤滑した潤滑油は滴下し、図示しない下方の連通部よりオイルパン１４内部に戻る。
【００２１】
ヘッドカバー１３内には保持ケース２３が収容されており、保持ケース２３にはブローバイガスフィルタ２４が保持されている。ブローバイガスフィルタ２４は、保持ケース２３の底壁２３１から浮いた位置、且つヘッドカバー１３の上壁１３１から離れた位置に保持されている。保持ケース２３にはパイプ２５が接続されている。パイプ２５の一端は、保持ケース２３内へ開口しており、パイプ２５の他端は、吸気管又はインテークマニホールド１５に接続されている。
【００２２】
シリンダブロック１１内で発生するブローバイガスは、図示しない通路を経由してヘッドカバー１３の内部１３２へ流入する。ヘッドカバー１３の内部１３２のブローバイガスは、保持ケース２３とヘッドカバー１３の上壁１３１との間を経由してブローバイガスフィルタ２４を上から下へと通過してゆく。ブローバイガスフィルタ２４を通過したブローバイガスは、ブローバイガスフィルタ２４と保持ケース２３の底壁２３１との間の流路２３２、及びパイプ２５を経由して吸気管又はインテークマニホールド１５へ流入する。ヘッドカバー１３の内部１３２、流路２３２及びパイプ２５は、ブローバイガス流路を構成する。
【００２３】
保持ケース２３の底壁２３１には油還流パイプ２６Ａの一端が接続されている。油還流パイプ２６Ａは、ブローバイガスフィルタ２４より下流の保持ケース２３内の流路２３２に連通している。油還流パイプ２６Ａの他端には開閉弁２７が接続されている。
【００２４】
図１（ｂ）及び図２に示すように、開閉弁２７を構成するバルブハウジング２８内には弁室２８３が形成されており、弁室２８３内にはピストン型の弁体２９がスライド可能に収容されている。弁室２８３にねじ込まれたボルト形状のバネ座３０と弁体２９との間には圧縮バネ３１が介在されている。圧縮バネ３１は、弁室２８３の内端２８４に当接する位置に向けて弁体２９を付勢する。
【００２５】
弁体２９の周面には環状の溝２９１が弁体２９の周面を１周するように形成されている。バルブハウジング２８には流入ポート２８１及び流出ポート２８２が形成されている。弁体２９は、流入ポート２８１及び流出ポート２８２と溝２９１とが連通する開位置と、流入ポート２８１及び流出ポート２８２と溝２９１とが連通しない閉位置とに切り換え配置可能である。流入ポート２８１には油還流パイプ２６Ａが接続されており、流出ポート２８２には油還流パイプ２６Ｂが接続されている。油還流パイプ２６Ａ，２６Ｂは、ブローバイガスフィルタ２４よりも下流の流路２３２に通じる油還流路を構成する。
【００２６】
弁体２９が開位置にあるときには、油還流パイプ２６Ａ，２６Ｂが溝２９１を介して連通し、弁体２９が閉位置にあるときには、油還流パイプ２６Ａ，２６Ｂ間の連通が遮断される。図１（ｂ）では、弁体２９が弁室２８３の内端２８４に当接した開位置にあり、図２では、弁体２９が閉位置にある。つまり、図１（ｂ）では、開閉弁２７は開状態にあり、図２では、開閉弁２７は閉状態にある。
【００２７】
バルブハウジング２８にはボルト形状の油圧路形成体３２が螺合されており、油圧路形成体３２及びバルブハウジング２８には油圧路３３が形成されている。油圧路３３は、弁室２８３の内端２８４側から弁室２８３に連通している。油圧路３３には油圧パイプ３４の一端が接続されており、油圧パイプ３４の他端は、油路２０に接続されている。油路２０内の油圧は、油圧パイプ３４及び油圧路３３を介して弁体２９に作用する。弁体２９に作用する油圧路３３側からの油圧は、弁体２９を介して圧縮バネ３１のバネ力に対抗する。つまり、油圧路３３内の油圧は、弁体２９を開位置から閉位置に向けて付勢する。つまり、開状態にある開閉弁２７は、油圧が予め設定された基準圧力以上になると、閉状態へ移行する。基準圧力としては、潤滑油の粘度が増大し、油路２０の油圧が過度に増大する低温始動時のみ閉状態に移行するように、通常の内燃機関１０の高回転運転状態における油圧の最大値より高い値が設定される。
【００２８】
なお、暖気後の通常運転時においては、内燃機関１０の回転数が上がると、クランクシャフトに連結されたオイルポンプ１８の回転数も上昇し、オイルポンプ１８下流の油圧もある程度上昇する。しかし、オイルポンプ１８下流には、一般に潤滑油をオイルパン１４にリリーフし、最大油圧を制限する油圧制御弁が配置されており、潤滑油の粘度が十分に低い状態では、油圧制御弁の作用により、油路２０内等の最大油圧は制限される。
【００２９】
図１（ａ）に示すように、チェーンケース２２内には油溜まり容器３５が形成されている。油溜まり容器３５の上部は、チェーンケース２２内の空間に開放している。油還流パイプ２６Ｂは、油溜まり容器３５内にて、油溜まり容器３５が潤滑油で満たされた場合には、油没する位置に通じている。つまり、油還流パイプ２６Ｂの出口２６１は、油溜まり容器３５の内部に開口している。
【００３０】
内燃機関１０が作動状態にあるときには、ヘッドカバー１３内にあるブローバイガスがブローバイガスフィルタ２４の上側からブローバイガスフィルタ２４を通過して流路２３２に至り、その後、パイプ２５を経由してインテークマニホールド１５へ流入する。ヘッドカバー１３内にあるブローバイガス中に含まれる潤滑油は、ブローバイガスフィルタ２４で濾過されて底壁２３１上に滴下する。開閉弁２７が開状態にあるときには、底壁２３１上に滴下した潤滑油は、油還流パイプ２６Ａ、開閉弁２７及び油還流パイプ２６Ｂを経由して油溜まり容器３５へ流出する。油溜まり容器３５から溢れ出た潤滑油は、オイルパン１４に還流する。なお、油溜まり容器３５は、上部がチェーンケース２２内に開放されていることで、チェーンケース２２内部にてスプロケット及びチェーンの潤滑により飛散したオイルを取り込み、内燃機関１０の始動直後も、速やかに必要な油量が得られる。
【００３１】
図３のグラフにおける曲線Ｐは、低温始動時におけるブローバイガスフィルタ２４の上流と下流との間の圧力差を示し、曲線Ｔは、オイルパン１４における潤滑油の温度（以下、メイン油温という）を示す。横軸は、内燃機関１０の始動後の経過時間を示す。前記圧力差は、内燃機関１０の始動後、急激に増大した後に低減してゆき、そして内燃機関１０の暖機運転中の定常的な圧力差へ移行する。前記圧力差が大きい状態は、ブローバイガスフィルタ２４に捕捉されている潤滑油の粘度が大きいことによるものである。ブローバイガスフィルタ２４に捕捉されている潤滑油の粘度が大きい場合には、油路２０内及び油圧パイプ３４内の潤滑油の粘度も大きく、油路２０内及び油圧パイプ３４内の油圧は高い。一方、ブローバイガスフィルタ２４に捕捉されている潤滑油の粘度が小さくなった後も、メイン油温が上昇するまでは、油路２０内及び油圧パイプ３４内の潤滑油の粘度は大きく、油路２０内及び油圧パイプ３４内の油圧は高い状態が継続する。
【００３２】
ブローバイガスフィルタ２４に捕捉されている潤滑油は、微量であるために、内燃機関１０の始動後ではメイン油温の上昇の前に昇温する。そのため、ブローバイガスフィルタ２４に捕捉されている潤滑油の粘度が下がり、前記圧力差が低下する。前記圧力差が大きい期間（例えば図３にｔで示す期間）は、約１０〜２０秒程度である。
【００３３】
ブローバイガスフィルタ２４の上流と下流との間の圧力差は、ブローバイガスフィルタ２４に捕捉されている潤滑油の粘度を反映する。ブローバイガスフィルタ２４に捕捉されている潤滑油の粘度が大きい場合には、油路２０内及び油圧パイプ３４内の潤滑油の粘度も大きい。さらに、ブローバイガスフィルタ２４に捕捉されている潤滑油の粘度が低下した後も暫くの間は、油路２０内及び油圧パイプ３４内の潤滑油の粘度は大きい。つまり、ブローバイガスフィルタ２４に捕捉されている潤滑油の粘度が大きいときには、油路２０内及び油圧パイプ３４内の油圧も大きい。
【００３４】
油路２０内及び油圧パイプ３４内の油圧が前記基準圧力に達した場合には、開閉弁２７が閉状態となり、油還流パイプ２６Ａ内及び保持ケース２３の底壁２３１上にある潤滑油は、油溜まり容器３５へ流出不能である。油路２０内及び油圧パイプ３４内の油圧が前記基準圧力に達しない場合には、開閉弁２７が開状態となり、油還流パイプ２６Ａ内及び保持ケース２３の底壁２３１上にある潤滑油は、油溜まり容器３５へ流出可能である。前記基準圧力としては、前述した如く、低温始動時の粘度増大に起因する過大な油圧上昇と、通常の高回転運転による油圧上昇が判別可能な値が用いられる。
【００３５】
本実施形態では以下の効果が得られる。
（１）ブローバイガスフィルタ２４に捕捉されている潤滑油の粘度が高い場合（内燃機関１０の温度が低いとき）には、油路２０内及び油圧パイプ３４内の油圧が、通常の運転状態よりも高くなるため、開閉弁２７が閉状態となる。従って、ブローバイガスフィルタ２４に捕捉されている潤滑油の粘度が高くても、油溜まり容器３５内にある潤滑油が流路２３２側へ吸い上げられてしまうことはない。内燃機関１０の温度が低いときにはオイルポンプ１８から送り出される潤滑油の油圧が高いことを利用して開閉弁２７の開閉制御を行なう構成によれば、ブローバイガスフィルタ２４で分離された潤滑油の油還流路の開閉が適正且つ容易に行われる。なお、ブローバイガスフィルタ２４に捕捉されている潤滑油の粘度が低下した後は、油還流パイプ２６Ａに作用する負圧も低下するため、油還流パイプ２６Ｂ及び油溜まり容器３５内の潤滑油の作用のみで、油還流パイプ２６Ａ及び２６Ｂ内の逆流は防止できる。
【００３６】
（２）オイルフィルタ２１における圧損は大きいため、オイルフィルタ２１よりも下流の油路における油圧は、潤滑油の粘度を正しく反映した圧力になっているとは限らない。しかし、オイルポンプ１８と圧損の大きいオイルフィルタ２１との間の油路２０における油圧は、潤滑油の粘度を正しく反映した圧力になっている。従って、オイルポンプ１８と圧損の大きいオイルフィルタ２１との間の油路２０における油圧は、開閉弁２７の開閉を制御するための油圧として最適である。
【００３７】
（３）内燃機関１０の始動から暫くすると、図３の曲線Ｔで示すように、オイルポンプ１８から送り出される潤滑油の温度が上昇してゆき、オイルポンプ１８から送り出される潤滑油の粘度が低下してゆく。従って、油路２０における油圧が低下してゆき、開閉弁２７が閉状態から開状態へ移行する。つまり、内燃機関１０の作動中において、開閉弁２７が常に閉状態になってしまうことはなく、内燃機関１０の作動中においても、ブローバイガスフィルタ２４で分離された潤滑油を油溜まり容器３５へ回収することができる。
【００３８】
本発明では以下のような実施形態も可能である。
○前記の実施形態においては、油溜まり容器３５をチェーンケース２２に形成したが、油溜まり容器の配置はこれに限定されるものではない。本発明は、油還流パイプ２６Ａ及び２６Ｂが上下方向の高さを十分に確保できない時により有効であるため、例えば、油還流パイプ及び油溜まり容器をヘッドカバー１３内に配置したもの、特許文献１に記載の構造に適用してもよい。また、油還流パイプの先端をＵ字状に屈曲し、油還流パイプにて油溜まり容器３５の機能も兼用した構造にも、適用することができる。
【００３９】
○ブローバイガスフィルタ２４をヘッドカバー１３外に設けてもよい。
○開閉弁２７をヘッドカバー１３内に設けてもよい。
前記した実施形態から把握できる技術思想について以下に記載する。
【００４０】
〔１〕前記油圧が予め設定された基準圧力以上になると、前記開閉弁が開状態から閉状態へ移行する請求項１乃至請求項３のいずれか１項に記載の内燃機関におけるブローバイガス処理装置。
【図面の簡単な説明】
【００４１】
【図１】一実施形態を示し、（ａ）は、一部破断側面図。（ｂ）は、開閉弁２７の断面図。
【図２】開閉弁２７の断面図。
【図３】ブローバイガスフィルタ２４の上流と下流との間の圧力差と、メイン油温とを示すグラフ。
【符号の説明】
【００４２】
１０…内燃機関。１５…吸気系としてのインテークパイプ。１８…オイルポンプ。２０…油路。２１…オイルフィルタ。２３２…ブローバイガスフィルタより下流のブローバイガス流路となる流路。２４…ブローバイガスフィルタ。２６Ａ，２６Ｂ…油還流路を構成する油還流パイプ。２６１…出口。２７…開閉弁。３５…油溜まり容器。
【図１】
2007285261.tif 000003
【図２】
2007285261.tif 000004
【図３】
2007285261.tif 000005